(57)【要約】【課題】地震などで建物が揺れた場合に、ランプが損傷したり、脱落したりすることを回避できるようにすること。【解決手段】ランプシェード２１のコネクタ２２に対してランプ１１のソケット１５が螺合接続される。ランプ１１において、コネクタ２２よりランプ部１３側の周面には、ランプシェード２１の内周面に接合する緩衝材２６が設けられる。このため、建物が揺れた場合に、ランプ１１がランプシェード２１に対して片持ち状態で揺れたり、単独で回転されたりすることを回避できる。【選択図】図３
2018055932.tif 000002
【特許請求の範囲】
【請求項１】
シェード部のコネクタに対してソケットが螺合接続されるランプにおいて、
前記コネクタよりランプ部側の周面には、前記シェード部の内面に接合する接合部を備えたランプ。
【請求項２】
前記ランプ部は金属製の放熱部を有し、その放熱部の前記コネクタ側の端部に前記接合部が備えられている請求項１に記載のランプ。
【請求項３】
前記放熱部に凹部を形成し、その凹部に前記接合部が設けられた請求項２に記載のランプ。
【請求項４】
前記接合部をゴム材によって構成した請求項３に記載のランプ。
【請求項５】
ランプの周囲に位置するランプシェードにおいて、ランプのソケット以外の部分に接合する接合部が備えられたランプシェード。
【請求項６】
ランプと、そのランプの周囲に位置するシェード部とを備えたランプユニットにおいて、ランプのソケット以外の部分と、前記シェード部との間を接合させる接合部が備えられたランプユニット。
【発明の詳細な説明】
【技術分野】
【０００１】
本発明は、ＬＥＤ（発光ダイオード）ランプ等のランプ、ランプシェード及びそのランプとランプシェードとよりなるランプユニットに関するものである。
【背景技術】
【０００２】
特許文献１には、ＬＥＤランプが開示されている。ＬＥＤランプは、フィラメント式の白熱ランプと比較して、金属製の放熱部や、制御機器を有しているため、大きく、重くなる。一方、ＬＥＤランプのソケットは、既存のコネクタに接続する必要から、前記白熱ランプと同様に、小径で小さなものである。
【先行技術文献】
【特許文献】
【０００３】
【特許文献１】特開２０１３−１０１８６４号公報
【発明の概要】
【発明が解決しようとする課題】
【０００４】
従って、ＬＥＤランプが大きく、重いものであっても、そのＬＥＤランプは小径のソケットにおいてコネクタに吊り下げられる。言い換えれば、ＬＥＤランプは、ソケットの部分を除いて片持ち状態になる。従って、地震などによって建物が揺れると、ＬＥＤランプのコネクタとランプ部との間に応力が集中して、コネクタとランプ部との境界で破断されたり、同部分に亀裂が生じたり、コネクタに対するソケットの接続状態が緩んだりするおそれがあった。特に、大地震のように震度が大きかったり、群発地震の際のように、揺れが多数回連続したりすると、前記のおそれが倍加するものであった。
【０００５】
本発明の目的は、地震などの際に、ランプに集中応力が作用することを抑制できるランプ、ランプシェード及びランプユニットを提供することにある。
【課題を解決するための手段】
【０００６】
上記の目的を達成するために、ランプに係る本発明においては、シェード部のコネクタに対してソケットが螺合接続されるランプにおいて、前記コネクタよりランプ部側の周面には、前記シェード部の内面に接合する接合部を備えたことを特徴とする。
【０００７】
ランプシェードに係る本発明においては、ランプの周囲に位置するランプシェードにおいて、ランプのソケット以外の部分に接合する接合部が備えられたことを特徴とする。
ランプユニットに係る本発明においては、ランプと、そのランプの周囲に位置するシェード部とを備えたランプユニットにおいて、ランプのソケット以外の部分と、前記シェード部との間を接合させる接合部が備えられたことを特徴とする。
【０００８】
以上の構成においては、前記接合部がシェード部の内周面に接合するため、建物が揺れた場合、ランプとシェード部とが一体的に揺れる。このため、ランプのソケットとランプ部との間の境界に応力が集中することを回避できて、同境界の破断を防止できるとともに、ランプ単独の回転を防止して、ソケットがコネクタから外れることを回避できる。
【発明の効果】
【０００９】
本発明によれば、建物が揺れた際に、ランプに問題が生じることを防止できる効果がある。
【図面の簡単な説明】
【００１０】
【図１】ランプの斜視図。
【図２】ランプユニットの取り付け状態を示す側面図。
【図３】ランプユニットの取り付け状態を示す断面図。
【発明を実施するための形態】
【００１１】
以下、本発明を具体化した実施形態を図面に基づいて説明する。本実施形態のランプ１１はＬＥＤランプである。
図１に示すように、ランプ１１は、合成樹脂製のランプベース１２を備え、その下面にはＬＥＤ（図示しない）が設けられている。ランプベース１２の下部には、光透過性のカバーを有するランプ部１３が設けられ、前記ＬＥＤからの光が周囲に照射されるようになっている。ランプ部１３の上部においてランプベース１２の下部には金属あるいは合成樹脂よりなる放熱部１４が設けられ、ランプベース１２の上端にはソケット１５が設けられている。放熱部１４は複数の放熱フィン１６により構成され、各放熱フィン１６の上端には凹部１７が形成されている。
【００１２】
図２及び図３に示すように、ランプ１１は上端のソケット１５がランプ１１の周囲に位置するシェード部としてのランプシェード２１のコネクタ２２に螺合接続されている。ランプシェード２１はその外側面に一対の留め金具２３を備えている。そして、天井板２４の取付孔２５にランプシェード２１が下方から挿入され、その挿入状態において留め金具２３によりランプシェード２１が抜け止めされている。
【００１３】
前記放熱部１４の凹部１７には接合部としての緩衝材２６が設けられ、この緩衝材２６はランプシェード２１の内周面に接着により接合されている。そして、この緩衝材２６は、耐熱性、耐寒性及び電気絶縁性を有するとともに、摩擦係数が高く、さらにはゴム性を有する材質、例えば、シリコーンゴムやアクリルゴムによって構成されている。なお、緩衝材２６は、全凹部１７に設ける必要はなく、図１に示すように、複数箇所の凹部１７を隔てた１箇所の凹部１７に設ければよい。
【００１４】
次に、以上のように構成された本実施形態の作用を説明する。
本実施形態のランプユニット３１を備えた建物が地震などによって揺れた場合、ランプユニット３１は建物の天井板２４の部分と一体的に揺れる。この場合、ランプ１１は緩衝材２６がランプシェード２１の内周面に接合されているため、ランプシェード２１に支えられた状態で、ランプシェード２１と一体に揺れる。従って、ソケット１５とランプ部１３との間の境界に集中応力が作用することを回避できる。このため、この境界部分でランプベース１２に破断や亀裂が生じることを防止できる。
【００１５】
また、前記のように、ランプ１１の緩衝材２６がランプシェード２１の内周面に接合しているため、ランプシェード２１の揺れによってランプ１１が単独で回転されることを抑制でき、ランプ１１が回転されて、ソケット１５とコネクタ２２との接続状態が解除されたり、落下したりすることを防止できる。
【００１６】
従って、震度が大きい大規模地震や、揺れが繰り返される群発地震のような事態であっても、ランプ１１における不都合な状況を未然に避けることができる。
従って、本実施形態においては、以下の効果がある。
【００１７】
（１）建物が揺れても、ランプ１１のソケット１５とランプベース１２との間の境界部分に集中応力が生じることを回避できて、同境界部分の亀裂や破断を防ぐことができる。
（２）ランプ１１がランプシェード２１に対して単独で回転されることを防止できる。このため、ソケット１５とコネクタ２２との電気接続が切れたり、ランプ１１が落下したりすることを防止できる。
【００１８】
（３）凹部１７に緩衝材２６を設けただけであるから、構成は簡単である。
本発明は前記実施形態に限定されるものではなく、以下のような態様で具体化することも可能である。
【００１９】
・緩衝材２６として、凹部１７の部分において、同部分の周りに巻き回されるゴム材よりなるパッキンなどや合成樹脂材のリボンなどを用いること。
・放熱部１４に凹部１７を設けることなく、緩衝材２６を放熱部１４の上端部に設けること。
【００２０】
・緩衝材２６をランプシェード２１の内周面に設け、その緩衝材２６がランプ１１のソケット１５とランプベース１２との間の境界部に接合するように構成すること。この場合、ランプ１１の放熱部１４の凹部１７は必ずしも必要ない。この場合、ランプ１１の放熱部１４の凹部１７は必ずしも必要ない。
【００２１】
・緩衝材２６をランプ１１及びランプシェード２１の双方に設けること。
・コネクタ２２を天井部に設け、ランプ１１として、ＬＥＤランプ以外のもの、例えばボール形蛍光灯ランプや水銀灯などを用いること。
【００２２】
・シェード部として、ランプシェードを用いることなく、天井部の孔の内周面をシェード部にすること。すなわち、ランプ１１の外周面または天井部の孔の内周面に緩衝材２６を設けること。
【符号の説明】
【００２３】
１１…ランプ、１２…ランプベース、１３…ランプ部、１５…ソケット、１６…放熱フィン、１７…凹部、２１…ランプシェード、２２…コネクタ、２６…緩衝材、３１…ランプユニット。
【図１】
2018055932.tif 000003
【図２】
2018055932.tif 000004
【図３】
2018055932.tif 000005